(57)【特許請求の範囲】
【請求項１】
複数組の可変表示構成体のうちの一の可変表示構成体を構成する薄膜状長尺体の内側に他の可変表示構成体の薄膜状長尺体の一部が配置されている遊技機における可変表示装置において、前記一の可変表示構成体の薄膜状長尺体と、前記他の可変表示構成体の薄膜状長尺体との互いに重なり合った部分を外部表示する表示部の背面には円弧状に形成されて前記両薄膜状長尺体を案内する薄膜状長尺体案内板が設けられ、該薄膜状長尺体案内板の薄膜状長尺体案内方向の両端と前記一の可変表示構成体の薄膜状長尺体の間に間隙が形成され、前記薄膜状長尺体案内板は左右両側にそれぞれ側板部を有し、該側板部の内側には前記他の可変表示構成体の薄膜状長尺体の両側縁を挟み込んで案内する断面コ字状の案内部が形成されていることを特徴とする遊技機における可変表示装置。
【請求項２】
前記薄膜状長尺体は多層に設けられていることを特徴とする請求項１記載の遊技機における可変表示装置。
【請求項３】
前記薄膜状長尺体は外方より内方に複数積層されていることを特徴とする請求項２記載の遊技機における可変表示装置。
【請求項４】
前記薄膜状長尺体は透明または半透明で、かつ、可撓性を有する材料でつくられていることを特徴とする請求項１ないし３のいずれかに記載の遊技機における可変表示装置。
【請求項５】
前記薄膜状長尺体の内側にはディスプレイ装置が設けられていることを特徴とする請求項１記載の遊技機における可変表示装置。
【請求項６】
前記複数積層されている薄膜状長尺体は、外方の薄膜状長尺体にあたり役を表す数字、図柄等の識別情報が描かれるとともに、内方の薄膜状長尺体には背景を表す識別情報が描かれていることを特徴とする請求項３記載の遊技機における可変表示装置。
【発明の詳細な説明】
【０００１】
【発明の属する技術分野】
本発明は、遊技機に関するものであって、特にスロットマシンやパチンコ等の遊技機および遊技機における可変表示装置に関するものである。
【０００２】
【従来の技術】
近年遊技機としてのパチンコやスロットマシンの普及は目覚しいものがあり、特に今日にあっては、可変表示装置を備えた機種が急増している傾向にある。
この可変表示装置は、通常、３つの表示部が設けられていて、各表示部には表示された数値や図柄等が所定個所で全て合致することにより、多数のメダルやパチンコ球を獲得できる機会いわゆる大当たりが得られるようになっている。
【０００３】
例えば、回転ドラムから成る可変表示装置にあっては、ドラムの曲面に等間隔に数値や図柄が描かれており、この数値や図柄が描かれている回転ドラムが複数個（例えば３個）併設されてそれぞれがモータにより回転され、操作者の停止ボタンの操作による手動によって、あるいは自動的にモータが停止されて、回転ドラム上に描かれた図柄等を揃えることができるようになっている。
【０００４】
【発明が解決しようとする課題】
このように従来の可変表示装置では、回転ドラムの周面に識別情報が描かれてているが、この識別情報を多数且つ多種類描くためには、回転ドラムの周面を長くする必要があり、勢い回転ドラムの直径が大きくなる。このように回転ドラムの直径が大きくなると、当然に重量も嵩み、それを駆動・停止させるモータも大出力のものが必要となる。加えて、回転ドラムを設置するための広いスペースが必要となり、遊技機そのものが大きくなってしまうという不都合がある。
【０００５】
また、この回転ドラムは、一般的に金属や合成樹脂によって形成されるが、この場合、長期間の使用によって、回転ドラムの表面が駆動時の熱や成型時の残留応力によって変形する場合があり、この場合に、被検出部と基準位置検出器との相対的な位置がずれてモータの基準位置が正確に検出できず、回転ドラムを正確な位置で停止させることができないという不都合もある。
【０００６】
本発明は、上述のような事情からなされたものであって、本発明の目的とするところは、多数且つ多種類の識別情報を装置を大型にすることなく表示でき、しかも、小さな駆動力で絵柄表示部を長期間にわたって駆動できかつ正確な位置で停止させることができる遊技機および遊技機における可変表示装置を提供することにある。
【０００７】
【課題を解決するための手段】
係る目的を達成するため、本願の請求項１に係る発明では、複数組の可変表示構成体のうちの一の可変表示構成体を構成する薄膜状長尺体の内側に他の可変表示構成体の薄膜状長尺体の一部が配置されている遊技機における可変表示装置において、前記一の可変表示構成体の薄膜状長尺体と、前記他の可変表示構成体の薄膜状長尺体との互いに重なり合った部分を外部表示する表示部の背面には円弧状に形成されて前記両薄膜状長尺体を案内する薄膜状長尺体案内板が設けられ、該薄膜状長尺体案内板の薄膜状長尺体案内方向の両端と前記一の可変表示構成体の薄膜状長尺体の間に間隙が形成され、前記薄膜状長尺体案内板は左右両側にそれぞれ側板部を有し、該側板部の内側には前記他の可変表示構成体の薄膜状長尺体の両側縁を挟み込んで案内する断面コ字状の案内部が形成されていることを特徴としている。本願の請求項２に係る発明では、前記薄膜状長尺体は多層に設けられていることを特徴としている。本願の請求項３に係る発明では、前記薄膜状長尺体は外方より内方に複数積層されていることを特徴としている。本願の請求項４に係る発明では、前記薄膜状長尺体は透明または半透明で、かつ、可撓性を有する材料でつくられていることを特徴としている。
【０００８】
本願の請求項５に係る発明では、前記薄膜状長尺体の下側にはディスプレイ装置が設けられていることを特徴としている。本願の請求項６に係る発明では、前記複数積層されている薄膜状長尺体は、外方の薄膜状長尺体にあたり役を表す数字、図柄等の識別情報が描かれるとともに、内方の薄膜状長尺体には背景を表す識別情報が描かれていることを特徴としている。
【００１４】
【発明の実施の形態】
以下、本発明にかかる遊技機および遊技機における可変表示装置の実施の形態を図面に基づいて説明する。
本発明は遊技機に関するもので、例えばメダルを利用して遊技するスロットマシン、パチンコ球を利用して遊技するパチンコ機に適用することができるが、以下スロットマシンに適用した例について説明する。
【００１５】
図１は、スロットマシンを正面からみたもので、図中１はスロットマシンを示し、１０はスロットマシン本体、１１はスタートボタン、１３は音声表示部、１４はストップボタン、２０は可変表示装置である。可変表示装置２０は、図１に示すように、スロットマシン本体１０に設けられた窓１２からその一部が見えるものであって、この可変表示装置２０は、後述する可変表示構成体ユニット１５が３個並列に並べられて構成されている。なお、上記スタートボタン１１に代わりスタートレバーを使用する場合もある。
【００１６】
図２、図３に示すように、可変表示構成体ユニット１５は、駆動輪２１Ａ、２１Ｂ、複数のガイドローラ２３Ａ、２３Ｂおよび無端状の薄膜状長尺体２２Ａ、２２Ｂからなる可変表示構成体１６Ａ、１６Ｂが２組設けられ、それら２組の可変表示構成体のうちの外側の可変表示構成体１６Ａの無端状の薄膜状長尺体２２Ａの内側に、内側の可変表示構成体１６Ｂを構成する、前記駆動輪２２Ｂ、前記複数のガイドローラ２３Ｂおよび前記無端状の薄膜状長尺体２２Ｂがそれぞれ収納されて構成されている。
そして、前記外側の無端状の薄膜状長尺体２２Ａと、内側の無端状の薄膜状長尺体２２Ｂとの一部分が表示部２４でそれぞれ重なり合うように、それら無端状の薄膜状長尺体２２Ａ、２２Ｂは配置されている。
【００１７】
なお、この実施の形態では、外側の無端状の薄膜状長尺体２２Ａの内側に、内側の可変表示構成体１６Ｂを構成する、前記駆動輪２２Ｂ、前記複数のガイドローラ２３Ｂおよび前記無端状の薄膜状長尺体２２Ｂがそれぞれ収納されて配置しているが、これに限られることなく、外側の無端状の薄膜状長尺体２２Ａの内側に、内側の可変表示構成体１６Ｂの少なくとも一部が配置されたものであってもよい。
また、外側および内側の薄膜状長尺体２２Ａ、２２Ｂは、必ずしも無端状である必要はなく、有端状であってもよい。
【００１８】
この可変表示装置２０を構成する可変表示構成体ユニット１５の構造を詳細に説明すると、外側の可変表示構成体１６Ａは、可変表示構成体１６Ａの側面４角形状のケーシング２５の奥方下端部に設けられた駆動輪２１Ａと、ケーシング２５の他の略３隅部に設けられたガイドローラ２３Ａと、ケーシングの表面部近傍に設けられた表示部２４と、それら駆動輪２１Ａとガイドローラ２３Ａとの間にまたがって張設され、表面に識別情報が描かれた可撓性を有する無端状の薄膜状長尺体２２Ａから構成されている。
【００１９】
他方、内側の可変表示構成体１６Ｂは、前記外側の可変表示構成体１６Ａを構成する駆動輪２１Ａの上方近傍に配置された駆動輪２１Ｂと、表示部２４の上下端部にそれぞれ設けられたガイドローラ２３Ｂと、前記表示部２４と、それら駆動輪２１Ｂとガイドローラ２３Ｂとの間にまたがって張設され、表面に識別情報が描かれた可撓性を有する無端状の薄膜状長尺体２２Ｂから構成されている。
なお、表示部２４は、外側の可変表示構成体１６Ａと内側の可変表示構成体１６Ｂとで共通化されている。
【００２０】
前記駆動輪２１Ａ、２１Ｂは、それぞれ合成樹脂製で円筒状をなしている。駆動輪２１Ａ、２１Ｂはケーシング２５の内側に位置し、ケーシング２５の外側には駆動輪２１Ａ、２１Ｂを回転するモータ２６Ａ、２６Ｂがそれら駆動輪２１Ａ、２１Ｂと同軸状に設けられている。また、図３にも示すように駆動輪２１Ａ、２１Ｂは、内部に空間部２１ｃを有し、側面に放射状の羽根状部２１ｄが形成され、駆動輪２１Ａ、２１Ｂが回転すると、この羽根状部２１ｄも回転し、この回転する羽根状部２１ｄによって、駆動輪２１Ａ、２１Ｂ内の空間部２１ｃを攪拌させ、内部に溜まる熱を放散させて冷却できるようになっている。
【００２１】
また前記空間部２１ｃは、当該可変表示構成体ユニット１５に隣接して配置される他の可変表示構成体ユニット１５のモータ２６Ａ、２６Ｂがそれぞれ収納されるようになっている。さらに、駆動輪２１Ａ、２１Ｂの周面には薄膜状長尺体２２Ａ、２２Ｂとの摩擦抵抗を大きくするためにゴムが周設されており、これによって、薄膜状長尺体２２を効率的に搬送できるようになっている。
【００２２】
前記外側の薄膜状長尺体２２Ａおよび内側の薄膜状長尺体２２Ｂは、例えば、合成樹脂製の適宜可撓性を有するフィルムであって、比重が軽く廉価であるＰＥＴ（ポリエチレンテレフタレート）製の合成樹脂によって作られる。外側の薄膜状長尺体２２Ａの略全表面には、数字や図柄等の識別情報（図１参照）が透明あるいは半透明の面材の上に描かれている。このように外側の薄膜状長尺体２２Ａは、略全表面にそれぞれ識別情報が形成されるので、多数、多種類の識別情報が描かれる。また、識別情報としては、数字や図柄に限定されるものではなく、記号や文字であってもよいものである。
【００２３】
特に、外方の薄膜状長尺体２２Ａの表面に設けられる絵柄等は、あたり役を表す数字、図柄等が描かれ、また、内側の薄膜状長尺体２２Ｂの表面に設けられる絵柄は、外側の薄膜状長尺体２２Ａに描かれる絵柄の背景として機能されるものであって、したがって、認識できる絵柄に限らず、単に色の変化を付けたもの、例えば、白色、赤色、黄色、青色でもよく、また、夕焼けや朝焼けあるいは雨降りの様子を表す絵柄等も描かれる。
【００２４】
また、薄膜状長尺体２２Ａ、２２Ｂの他の構成としては、その左右両端に図４に示されるように係合孔４０が多数穿設され、これら係合孔４０に噛み合うように全周の歯を有する駆動輪２１Ａ、２１Ｂを用い、これら薄膜状長尺体２２Ａ、２２Ｂと駆動輪２１Ａ、２１Ｂとの組み合わせによって、薄膜状長尺体２２Ａ、２２Ｂを的確に所定角度づつ搬送する構成であってもよい。
【００２５】
そして外側の薄膜状長尺体２２Ａは、駆動輪２１Ａの回転によって、また、内側の薄膜状長尺体２２Ｂは、駆動輪２１Ｂの回転によって、それぞれ所定角度づつ搬送され、エンドレスに搬送されながら表示部２４において、それら薄膜状長尺体２２Ａ、２２Ｂに描かれた識別情報が、黙視できるようになっている。
【００２６】
薄膜状長尺体２２Ａ、２２Ｂを、前記駆動輪２１Ａ、２１Ｂとガイドローラ２３Ａ、２３Ｂの間にまたがって張設し、搬送している途中に、それら薄膜状長尺体２２Ａ、２２Ｂがたるんでくる場合があるが、ここでは、図２に示すようにテンション機構２７Ａ、２７Ｂが駆動輪２１Ａの薄膜状長尺体２２Ａ、２２Ｂの排出側に設けられ、それら薄膜状長尺体２２Ａ、２２Ｂに適宜テンションを加えて搬送に支障がないように工夫されている。
【００２７】
このテンション機構２７Ａ、２７Ｂは、支持板２７ａを有し、この支持板２７ａの一端が軸２７ｂを介して支持され、他端にはテンションローラ２７ｃが取り付けられ、薄膜状長尺体２２Ａ、２２Ｂの動きに連動して支持板２７ａが軸２７ｂを中心にケーシング２５に設けられた円弧溝２７ｄ内を円弧に沿って動き、この支持板２７ａの動きにつれて薄膜状長尺体２２Ａ、２２Ｂと接しているテンションローラ２７ｃも図示せぬスプリングの付勢力によって動き、それら薄膜状長尺体２２Ａ、２２Ｂに適宜テンションを与えるようになっている。
【００２８】
前記駆動輪２１ａの近傍には、フォトセンサー２８が設けられている。このフォトセンサー２８は、薄膜状長尺体２２Ａ、２２Ｂに取り付けられた基準印２８ａの位置を認識し、予め組み込まれたプログラムにしたがって、前記ステッピングモータからなるモータ２６Ａ、２６Ｂの回転速度や停止等、該モータ２６Ａ、２６Ｂの動作を、図示しない制御手段を介して制御するようになっている。
【００２９】
前記表示部２４は、一側面に、側面視円弧状に形成されて外側の薄膜状長尺体２２Ａと内側の薄膜状長尺体２２Ｂとの互いに重なり合った部分を案内する、かまぼこ状に形成された案内板２４ａを具備し、この案内板２４はケーシング２５に固設されている。この案内板２４ａは、図５に示されるように左右両側にそれぞれ側板部２４ｂ、２４ｂを有し、それら側板部２４ｂ，２４ｂの内側には断面コ字状の案内部２４ｃ，２４ｃが形成されている。この案内部２４ｃに前記内側の薄膜状長尺体２２Ｂの両側縁が挟み込まれた状態で案内されて搬送される。前記案内板２４ａの最上層には、前記外側の薄膜状長尺体２２Ａが載置されて搬送される。
【００３０】
すなわち、案内板２４ａによって、前記外側の薄膜状長尺体２２Ａと内側の薄膜状長尺体２２Ｂとの互いに重なり合った部分は、略同一の曲率をもって円弧状に湾曲されて重なり合っている。
【００３１】
また案内板２４ａはポリエチレン製で、図６に示されるように、その両端２４ｄ，２４ｄは下方へ逃げて形成され、これにより、案内板２４ａの薄膜状長尺体案内方向の両端と前記外側の薄膜状長尺体２２Ａの間に間隙ｓが形成されている。そして、この間隙ｓにより外側の薄膜状長尺体２２Ａと案内板２４ａとの摩擦係数を少なくしている。
【００３２】
以上の構成の可変表示装置２０を構成する可変表示構成体ユニット１５のそれぞれの薄膜状長尺体２２Ａ、２２Ｂに記載されている識別情報である数字および図柄が、前記表示部２４において合致することにより、多数のメダル（遊技機がパチンコ機の場合パチンコ球）を獲得する機会、いわゆる大当たりが得られるようになっている。
【００３３】
次に、上記構成の可変表示装置を備えるスロットマシンの作用について説明する。先ず遊技者は、前記図１におけるスタートボタン１１を押す。このスタートボタン１１を押すとモータ２６Ａが起動し、このモータ２６Ａと連結している駆動輪２１Ａが回転し、この駆動輪２１Ａの回転により、駆動輪２１Ａに張設されている外側の薄膜状長尺体２２Ａが搬送されて、複数の識別情報が連続的に変化する。次いで、フォトセンサー２８が薄膜状長尺体２２Ａに設けられた基準印２８ａを基に、予め組み込まれたプログラムにしたがって、各可変表示構成体ユニット１５のモータ２６Ａへ停止信号を発する。また、手動で停止するときは、ストップボタン１４を押すことにより、モータ２６Ａを停止させる。
【００３４】
これにより、操作者は、所定箇所に停止した並列して設けられた各可変表示構成体ユニット１５のそれぞれ外側の薄膜状長尺体２２Ａに形成されている識別情報のそれぞれが、同一であるか否かを認識することができ、同一であれば多量のコイン（遊技機がパチンコ機の場合、パチンコ球）を獲得することができる。そのように役が当たれば、その役に応じて内側の薄膜状長尺体２２Ｂがモータ２６Ｂの起動により回転され、駆動輪２１Ｂを介して内側の薄膜状長尺体２２Ｂが搬送され、適宜位置で停止する。これにより、表示部の背景の絵柄を変えて、ゲームの臨場感を高める。
【００３５】
なお、図７に示されたものは、本発明の可変表示装置の他の実施形態に関するものである。上述したものとの相違点はガイドローラに関するものであって、上述のものはテンション機構２７Ａ、２７Ｂを用いて薄膜状長尺体のテンションを保持して搬送に支障を起こさないようにしてたが、図７に示された実施形態においては、テンション機構２７Ａ、２７Ｂに代えて多数のガイドローラ３３ａ、３３ｂ、…を設置してテンションを保持したものである。
【００３６】
すなわち前記外側の薄膜状長尺体２２Ａのテンションを保持するために、ガイドローラ３３ａ，３３ｂ，３３ｃ，３３ｄ，３３ｅ，３３ｆ，３３ｇを設けて、外側の薄膜状長尺体２２Ａのガイドとテンション保持の２つの機能を併せ持つようにしたものである。同時に前記内側の薄膜状長尺体２２Ｂのテンションを保持するために、ガイドローラ３３ｈ，３３ｍ，３３ｎ，３３ｏを設け、内側の薄膜状長尺体２２ｂのガイドとテンション保持の機能を併せ持つようにしたものである。こうすることによって、可変表示構成体ユニットのケーシングの奥行き寸法ｌをより小さくすることも可能となる。
【００３７】
また、上記実施形態では、前記無端状の薄膜状長尺体２２Ａ、２２Ｂを駆動輪とガイドローラを用いてエンドレスに搬送するようにしたが、これに限られることなく、有端状の薄膜状長尺体を両駆動輪の間や、駆動輪およびガイドローラの間に巻回させて往復式に搬送しても差し支えない。また、上記実施の形態は、外側と内側の薄膜状長尺体２２Ａ、２２Ｂを重ねて２層構造としたが、これに限られることなく、３以上の多層構造にしてもよく、また、薄膜状長尺体２２はただ一つとし、その内側にブラウン管あるいは液晶等を用いたディスプレイ装置を配置したものであっても、表示部２４に２重あるいは多重の絵柄を表すことが可能である。
【００３８】
【発明の効果】
以上説明したように本発明の可変表示装置は、表面に複数の識別情報が記載された複数の薄膜状長尺体を備えているので、従来の回転ドラムの表面に直接識別情報を形成したものに比較して、多数且つ多種類の識別情報を、装置を大型にしなくても形成できるので廉価に製作できるという効果がある。
また従来の回転体は、一般的に合成樹脂によって形成されるが、この場合長期間の使用によって、回転体の表面が駆動時の熱や残留応力によって変形する場合があり、この回転体の変形により、回転体を正確な位置に停止できないという難点があるが、駆動輪に張設してある薄膜状長尺体に識別情報を形成するようにしたので、小さな駆動力で駆動輪を駆動でき、かつ長期間にわたって正確な位置に停止できるという効果がある。
【００３９】
さらに薄膜状長尺体を多層構造とし、外方の薄膜状長尺体の表面には当たり役を表す識別情報を形成するとともに、内方の薄膜状長尺体の表面には背景を表す識別情報を形成したので、遊技者は魅力的な画面を目視できるという効果がある。
その上前記駆動輪に羽根状部を形成したので、可変表示装置内に発生する熱を、駆動輪の回転により可変表示装置外へ放散できるので、可変表示装置内を冷却することができるという効果がある。
また駆動輪を円筒形に形成したので、駆動輪内に空間部を生成することができ、この空間部にモータ等の機器を収納することができるので、その結果スペースを節約できるという効果がある。
また表示部にある薄膜状長尺体案内板は、円弧状に形成し、その両端と薄膜状長尺体との間に小さな間隙を形成したので、薄膜状長尺体と案内板との間の摩擦係数が少なくなり、薄膜状長尺体は円滑に搬送できるという効果がある。
【図面の簡単な説明】
【図１】  本発明による可変表示装置を備えた遊技機を示す概略正面図である。
【図２】  同可変表示装置の構成を示す側断面図である。
【図３】  同可変表示装置の正断面図である。
【図４】  薄膜状長尺体の他の例を示す斜視図である。
【図５】  表示部の構成を示す断面図である。
【図６】  表示部と薄膜状長尺体との間系を示す側面図である。
【図７】  同可変表示装置の他の例を示す側断面図である。
【符号の説明】
１      遊技機（スロットマシン）
１１  スタートボタン
１４  ストップボタン
１５  可変表示構成体ユニット
１６Ａ  外側の可変表示構成体
１６Ｂ  内側の可変表示構成体
２０    可変表示装置
２１Ａ、２１Ｂ  駆動輪
２１ｃ  空間部
２１ｄ  羽根状部
２２Ａ、外側の薄膜状長尺体
２２Ｂ  内側の薄膜状長尺体
２３Ａ、２３Ｂ    ガイドローラ
２４    表示部
２４ａ  （薄膜状長尺体）案内板
２４ｂ  側板部
２４ｃ  案内部
２５    ケーシング
２６Ａ、２６Ｂ  モータ
２７Ａ、２７Ｂ  テンション機構
２８    フォトセンサー
【図１】
0003914703.tif 000002
【図２】
0003914703.tif 000003
【図３】
0003914703.tif 000004
【図４】
0003914703.tif 000005
【図５】
0003914703.tif 000006
【図６】
0003914703.tif 000007
【図７】
0003914703.tif 000008